(57)【要約】【課題】長靴の裏面の溝内に付着した汚れも確実に除去して洗浄することのできる長靴洗浄装置を提供する。【解決手段】長靴洗浄装置１は、長靴Ｓが着用状態で挿入される装置本体１０と、この装置本体１０に設けられて長靴Ｓに接触しながら回転するブラシ２０と、長靴Ｓの裏面に高圧水を噴射する複数のジェットノズル３０、これら複数のジェットノズル３０を有する配管３１と、配管３１に接続されたプランジャーポンプ３２とを備える。【選択図】図１
2005218692.tif 000002
【特許請求の範囲】
【請求項１】
長靴が着用状態で挿入される装置本体と、
この装置本体に設けられて前記長靴に接触しながら回転するブラシと、前記長靴の裏面に高圧水を噴射する高圧水噴射手段とを備えていることを特徴とする長靴洗浄装置。
【請求項２】
前記高圧水噴射手段は、前記長靴の裏面に高圧水を噴射する複数のジェットノズルと、これら複数のジェットノズルを有する配管と、配管に接続されたプランジャーポンプとを備えていることを特徴とする請求項１に記載の長靴洗浄装置。
【請求項３】
前記高圧水噴射手段は、４〜５ＭＰａの水圧で高圧水を噴射することを特徴とする請求項１又は２に記載の長靴洗浄装置。
【請求項４】
操作に基づいて、高圧水の噴射を開始又は停止するように制御する高圧水噴射スイッチと、前記ブラシの回転を開始又は停止するように制御するブラシ回転スイッチとを備えていることを特徴とする請求項１〜３のいずれか一項に記載の長靴洗浄装置。
【発明の詳細な説明】
【技術分野】
【０００１】
本発明は、工事現場等で作業員が着用した長靴を洗浄する長靴洗浄装置に関する。
【背景技術】
【０００２】
工事現場等で作業員が着用する長靴を洗浄する長靴洗浄装置として、箱状本体内に回転ブラシと散水管とを設け、回転ブラシを回転駆動するとともに散水管に給水するようにし、これによって長靴の側面及び裏面を洗浄するものが知られている（例えば、特許文献１参照）。この長靴洗浄装置は作業員が長靴を着用したまま、箱状本体の上面開口部から汚れた長靴を箱状本体内に設けられた簀の子上に載せることによって、散水管から散水されて、簀の子の上下に配設したブラシが回転して長靴の裏面と側面とが洗浄されるようになっている。
【特許文献１】特開平６−３１１９６０号公報
【発明の開示】
【発明が解決しようとする課題】
【０００３】
しかしながら、上記特許文献１に記載の長靴洗浄装置は、散水とブラシの回転とによって長靴を洗浄するため、散水による水圧が小さく、長靴の裏面の溝内に付着した泥土やコンクリートのセメント液等までを確実に除去することが困難であった。
本発明は、上記事情に鑑みてなされたもので、長靴の裏面の溝内に付着した汚れも確実に除去して洗浄することのできる長靴洗浄装置を提供することを目的としている。
【課題を解決するための手段】
【０００４】
上記課題を解決するため、請求項１の発明は、例えば、図１(a)、(b)に示すように、長靴Ｓが着用状態で挿入される装置本体１０と、
この装置本体に設けられて前記長靴に接触しながら回転するブラシ２０と、前記長靴の裏面に高圧水を噴射する高圧水噴射手段とを備えていることを特徴とする。
【０００５】
請求項１の発明によれば、ブラシが長靴に接触しながら回転するとともに、高圧水噴射手段が長靴の裏面に高圧水を噴射させるので、裏面の溝内に高圧水を流すことができ、さらにその溝内にブラシが入り込むことによって、従来、裏面の溝内に付着し除去が困難であった泥土やセメント液等を確実かつ容易に除去することができる。よって、各現場の事務所や休憩所における下駄箱や土間に、乾いた泥土やセメント等が散乱することを防止でき、美化を図ることができる。
【０００６】
請求項２の発明は、例えば、図１(a)、(b)に示すように、請求項１の長靴洗浄装置１において、
前記高圧水噴射手段は、前記長靴の裏面に高圧水を噴射する複数のジェットノズル３０と、これら複数のジェットノズルを有する配管３１と、配管に接続されたプランジャーポンプ３２とを備えていることを特徴とする。
【０００７】
請求項２の発明によれば、高圧水噴射手段は、複数のジェットノズルと配管とプランジャーポンプとを備えているので単純な構成で製造も容易となる。
【０００８】
請求項３の発明は、請求項１又は２に記載の長靴洗浄装置において、
前記高圧水噴射手段は、４〜５ＭＰａの水圧で高圧水を噴射することを特徴とする。
【０００９】
請求項３の発明によれば、高圧水噴射手段が４〜５ＭＰａの水圧で高圧水を噴射するので、従来、除去が困難であった長靴の裏面の溝内に付着した泥土等をより確実に除去することが可能となる。
【００１０】
請求項４の発明は、例えば、図１(a)、(b)に示すように、請求項１〜３のいずれか一項に記載の長靴洗浄装置において、
操作に基づいて、高圧水の噴射を開始又は停止するように制御する高圧水噴射スイッチ４０と、前記ブラシの回転を開始又は停止するように制御するブラシ回転スイッチ４１とを備えていることを特徴とする。
【００１１】
請求項４の発明によれば、高圧水噴射スイッチとブラシ回転スイッチとを備えているので、長靴に付着した汚れに応じて、高圧水の噴射による洗浄や、ブラシの回転による洗浄、または、高圧水の噴射及びブラシの回転による洗浄を適宜選択して洗浄することができ、コスト面で有利となる。
【発明の効果】
【００１２】
本発明に係る長靴洗浄装置によれば、ブラシの回転と高圧水の噴射とによって、従来、裏面の溝内に付着し除去が困難であった泥土やセメント液等を確実かつ容易に除去することができる。よって、各現場の事務所や休憩所における下駄箱や土間に、乾いた泥土やセメント等が散乱することを防止でき、美化を図ることができる。
【発明を実施するための最良の形態】
【００１３】
以下、本発明の実施の形態について図１(a)、(b)を参照して説明する。
図１(a)は、本発明に係る長靴洗浄装置の概略正断面図であり、図１(b)は、長靴洗浄装置の概略側断面図である。
図１(a)、(b)に示すように、本発明に係る長靴洗浄装置１は長靴Ｓを着用状態で洗浄する装置であって、上面が開口されて長靴Ｓが挿入される箱状の装置本体１０と、この装置本体１０に設けられて長靴Ｓに接触しながら回転するブラシ２０と、長靴Ｓの裏面に高圧水を噴射する高圧水噴射手段とを備えている。
【００１４】
具体的には、装置本体１０内の略中段に長靴Ｓが載置される簀の子１１が略水平となるように設けられている。そして、簀の子１１の各隙間１１aから後述する下段に設けられたブラシ２０が突出するようになっており、また、洗浄による汚水等が前記隙間１１aを通って装置本体１０の底面に落下するようになっている。
【００１５】
簀の子１１の上側で長靴Ｓの前面及び側面に接触するように３つのブラシ２０が配置されており、また、長靴Ｓの上面に接触するように１つのブラシ２０が配置され、さらに、簀の子１０の下側で長靴Ｓの裏面に接触するように前後に２つのブラシ２０が配置されている。
長靴Ｓの側面に接触するように配置されたブラシ２０は、前後に延びる回転軸２０aを有しており、この回転軸２０aを中心に回転するようになっている。
一方、その他の長靴Ｓの前面、上面及び裏面に接触するように配置されたブラシ２０は、左右に延びる回転軸２０aを有しており、同様に各回転軸２０aを中心に回転するようになっている。
これら各回転軸２０aはギヤ等を介して回転軸２０aを回転駆動させるブラシ用モータ２１の回転軸（図示しない）に連結されている。このブラシ用モータ２１は装置本体１０内に収容されている。
【００１６】
また、簀の子１１の下方には高圧水噴射手段が設けられており、この高圧水噴射手段は、長靴Ｓの裏面に高圧水を噴射する複数のジェットノズル３０と、これら複数のジェットノズル３０を有する配管３１と、装置本体１０の外側に設けられて配管３１に接続されるプランジャーポンプ３２とを備えている。
ジェットノズル３０は、配管３１に所定間隔で前後に複数設けられており、長靴Ｓの裏面に高圧水が正確に噴射されるように配置されている。
なお、プランジャーポンプ３２を介してジェットノズル３０から噴射される高圧水は、洗浄力の面から、例えば水圧約４〜５ＭＰａで、水量２Ｌ／分とすることが好ましい。
【００１７】
また、長靴洗浄装置１は、長靴着用者の操作により高圧水の噴射を開始又は停止するように制御する高圧水噴射スイッチ４０と、ブラシ２０の回転を開始又は停止するように制御するブラシ回転スイッチ４１とを備えている。
【００１８】
次に、以上のように構成された長靴洗浄装置１の作用について説明する。
まず、長靴着用者は、長靴洗浄装置１の開口から着用した状態で長靴Ｓを挿入して簀の子１１上に踏み入れる。そして、長靴着用者が高圧水噴射スイッチ４０を押すことによって、プランジャーポンプ３２が駆動し、約４〜５ＭＰａの水圧で水量２Ｌ／分の割合で配管３１を介してジェットノズル３０から長靴Ｓの裏面の溝内に高圧水が噴射される。
一方、ブラシ回転スイッチ４１を押すことによって、ブラシ用モータ２１が駆動し、各ブラシ２０が回転軸２０aを介して回転しながら、長靴Ｓの前面、側面、裏面、上面が洗浄される。
なお、長靴着用者は簀の子１１上に長靴Ｓを載せた際に、長靴Ｓを前後に移動させながら洗浄すると洗浄力が上がるので好ましい。
【００１９】
以上、本発明に係る長靴洗浄装置１によれば、ブラシ２０が長靴Ｓに接触しながら回転するとともに、複数のジェットノズル３０から高圧水が噴出されるので、裏面の溝内に高圧水を流すことができ、さらにその溝内にブラシ２０が入り込むことによって、従来、裏面の溝内に付着し除去が困難であった泥土やセメント液等を確実かつ容易に除去することができる。よって、各現場の事務所や休憩所における下駄箱や土間に、乾いた泥土やセメント等が散乱することを防止でき、美化を図ることができる。
また、複数のジェットノズル３０を有する配管３１と、この配管３１がプランジャーポンプ３２に接続されており、単純な構成であるので製造も容易である。
さらに、高圧水噴射スイッチ４０とブラシ回転スイッチ４１とを備えているので、長靴Ｓに付着した汚れに応じて、高圧水の噴射による洗浄や、ブラシ２０の回転による洗浄、または、高圧水の噴射及びブラシ２０の回転による洗浄を適宜選択して洗浄することができ、コスト面で有利となる。
【００２０】
なお、本発明は上記実施の形態に限定されるものではなく、その要旨を逸脱しない範囲で適宜変更可能なものとする。
例えば、ブラシ２０の個数や配置箇所等は上記実施の形態で説明したものに限らず、適宜変更可能である。
その他、配管３１は長靴Ｓの裏面に高圧水が噴射されるように１本しか設けられていないが、複数本設けても構わないし、また、長靴Ｓの裏面以外の前面、上面、側面に高圧水が噴射されるように配管３１を設けても良い。さらに、ジェットノズル３０の個数や配置箇所等も適宜変更可能である。
また、洗浄力向上のために噴出させる高圧水に、洗浄液やお湯等を使用しても構わない。さらに、装置本体１０の底面には、汚水等を排出するための排水口（図示しない）等を設けることが好ましい。
また、プランジャーポンプ３２から噴出される水圧は、操作により設定変更できるように構成することが好ましい。
【図面の簡単な説明】
【００２１】
【図１】本発明の実施の形態の一例を示すためのもので、(a)は長靴洗浄装置の概略正断面図であり、(b)は長靴洗浄装置の概略側断面図である。
【符号の説明】
【００２２】
１  長靴洗浄装置
１０  装置本体
２０  ブラシ
３０  ジェットノズル
３１  配管
３２  プランジャーポンプ
４０  高圧水噴射スイッチ
４１  ブラシ回転スイッチ
Ｓ  長靴
【図１】
2005218692.tif 000003